(57)【要約】【課題】外部環境の変化、特に高湿度環境において湿気の侵入を最小限に抑え、高い信頼性を維持することができる磁気ディスク装置を提供する。【解決手段】磁気ディスク装置筐体１は吸気孔５と排気孔４を有し、筐体内部には吸気孔５の吸気路を形成する吸着剤７と、筐体１の内部と外部で気圧差がない場合は吸気路を閉塞し、筐体１の内部よりも外部の気圧が高い場合は吸気路を開放する吸気弁９とを有する吸気ユニット６ａと、排気孔４の排気路を形成するフィルタ８と、筐体１の内部と外部で気圧差がない場合は排気路を閉塞し、筐体１の外部よりも内部の気圧が高い場合は排気路を開放する排気弁１２とを有する排気ユニット６ｂとを備える。【選択図】  図２
2004318932.tif 000002
【特許請求の範囲】
【請求項１】
磁気ディスクと、該磁気ディスクに対して情報の記録・再生を行う磁気ヘッドと、該磁気ヘッド及び前記磁気ディスクを収容する筐体とを有する磁気ディスク装置において、前記筐体は吸気孔と排気孔を有し、前記筐体内部には前記吸気孔の吸気路を形成する吸着剤と、前記筐体の内部と外部で気圧差がない場合は前記吸気路を閉塞し、前記筐体の内部よりも外部の気圧が高い場合は前記吸気路を開放する吸気弁とを有する吸気ユニットと、前記排気孔の排気路を形成するフィルタと、前記筐体の内部と外部で気圧差がない場合は前記排気路を閉塞し、前記筐体の外部よりも内部の気圧が高い場合は前記排気路を開放する排気弁とを有する排気ユニットとを具備することを特徴とする磁気ディスク装置。
【請求項２】
前記吸気ユニットと排気ユニットは一体構造であることを特徴とする請求項１記載の磁気ディスク装置。
【請求項３】
前記吸気ユニットと排気ユニットは独立して設けられることを特徴とする請求項１記載の磁気ディスク装置。
【請求項４】
前記吸気弁と排気弁は弾性部材で閉塞状態を維持し、前記筐体の外部と内部の気圧差により開くことを特徴とする請求項１乃至３のいずれか１項に記載の磁気ディスク装置。
【請求項５】
前記吸気弁と排気弁は弾性部材で構成され、前記筐体の外部と内部で気圧差がないときには前記吸気路及び排気路を閉塞し、気圧差が生じた場合に開くことを特徴とする請求項１乃至３のいずれか１項に記載の磁気ディスク装置。
【請求項６】
前記吸気弁の前記吸気路側及び前記排気弁の前記筐体内部側にはそれぞれパッキンが取付けられていることを特徴とする請求項１乃至５のいずれか１項に記載の磁気ディスク装置。
【請求項７】
磁気ディスクと、該磁気ディスクに対して情報の記録・再生を行う磁気ヘッドと、該磁気ヘッド及び前記磁気ディスクを収容する筐体とを有する磁気ディスク装置において、前記筐体は吸気孔と排気孔を有し、前記筐体内部には前記吸気孔の吸気路を形成する吸着剤と、前記筐体の内部と外部で温度差がない場合は前記吸気路を閉塞し、前記筐体の内部よりも外部の温度が高い場合は前記吸気路を開放する吸気弁とを有する吸気ユニットと、前記排気孔の排気路を形成するフィルタと、前記筐体の内部と外部で温度差がない場合は前記排気路を閉塞し、前記筐体の外部よりも内部の温度が高い場合は前記排気路を開放する排気弁とを有する排気ユニットとを具備することを特徴とする磁気ディスク装置。
【請求項８】
前記吸気ユニットと排気ユニットは一体構造であることを特徴とする請求項７記載の磁気ディスク装置。
【請求項９】
前記吸気ユニットと排気ユニットは独立して設けられることを特徴とする請求項７記載の磁気ディスク装置。
【請求項１０】
前記吸気弁と排気弁は弾性部材で閉塞状態を維持し、前記筐体の外部と内部の温度差により開くことを特徴とする請求項７乃至９のいずれか１項に記載の磁気ディスク装置。
【請求項１１】
前記吸気弁と排気弁は弾性部材で構成され、前記筐体の外部と内部で温度差がないときには前記吸気路及び排気路を閉塞し、温度差が生じた場合に開くことを特徴とする請求項７乃至９のいずれか１項に記載の磁気ディスク装置。
【請求項１２】
前記吸気弁の前記吸気路側及び前記排気弁の前記筐体内部側にはそれぞれパッキンが取付けられていることを特徴とする請求項７乃至１１のいずれか１項に記載の磁気ディスク装置。
【発明の詳細な説明】
【０００１】
【発明の属する技術分野】
本発明は磁気ディスク装置に関し、特に外部環境の変化に対する信頼性を高めた磁気ディスク装置に関する。
【０００２】
【従来の技術】
磁気ディスク装置は、記録媒体となる磁気ディスクと記録再生用磁気ヘッドとを主構成要素とし、さらに磁気ディスクの回転機構、磁気ヘッドの位置決め機構等より構成されており、それらが筐体内に配置された構造を有する。磁気ディスク装置はパソコンやその他の情報機器に搭載されて主記憶装置として用いられ、高い信頼性が要求される。さらにモバイル等に搭載される場合は、さまざまな外部環境下での使用が考えられるため、外部環境の変化により、磁気ディスク装置の信頼性が劣化しないことが重要である。外部環境の変化による信頼性劣化の要因としては、湿度変化、温度変化、気圧変化、コンタミネーション等が代表的な例と考えられる。
【０００３】
このうち、湿度及びコンタミネーションに関しては、磁気ヘッド、磁気ディスクに付着し、結露した場合、磁気ヘッドは、磁気ディスク上を浮上中に結露した水分とコンタミネーションが磁気ヘッドの浮上面へ付着し、汚れとなり、記録再生処理の障害を起す可能性がある。また、磁気ヘッドには、記録再生処理を行う素子部があり、この素子部は、腐食し易い金属でできているため、水分とコンタミネーションの影響により腐食が発生することで、記録再生処理機能が行なえない状態に陥ることも考えられる。
【０００４】
このような障害を防止するため、磁気ディスク装置の筐体は通常、呼吸孔と呼ばれる微小な通気孔を介して半密閉構造としており、その筐体内部には、湿気を吸収する吸湿剤や、塵埃を取り除くためのフィルタユニット等が設置される。これにより湿度、コンタミネーションを除いて磁気ディスク装置内を低湿度、清浄に保ち、湿気及びコンタミネーションの影響による信頼性の劣化を防止している。
【０００５】
特許文献１には、筐体の内外圧力差が生じた場合のみにフィルタユニットに覆われた通気孔を開放するように動作する閉塞構造を設ける構成が開示されている。
【０００６】
【特許文献１】
特開２００２−３１３０７５号公報（第６−７頁、図５）
【０００７】
【発明が解決しようとする課題】
磁気ディスク装置は通常−５℃程度から＋６０℃程度の外部温度変化及び外部気圧変化として高度約３０００ｍ（約０．７気圧）を許容する必要がある。これらの条件でも筐体内部と外部の圧力を一定に保つためには、筐体容積の±３０％以上の体積変化に対応するため、筐体内部と外部環境は、常に通気状態である必要がある。しかし、この構造では、外部湿度の筐体内部への経時的な侵入は、抑えることが出来ない。この問題を解決するために前記特許文献１記載の技術が提案されたが、特許文献１記載の技術では、通気孔を覆うフィルタユニットは筐体内部に流入する空気の湿気、ガス、塵埃の除去と、筐体内部から外部に空気を排気する際の外部からの湿気、ガス、塵埃の流入の阻止を兼用して行うものであり、
この構成では、高湿度環境において磁気ディスク装置の信頼性を確保することは、不十分である。
【０００８】
本発明の目的は、外部環境の変化、特に高湿度環境において湿気の侵入を最小限に抑え、高い信頼性を維持することができる磁気ディスク装置を提供することである。
【０００９】
【課題を解決するための手段】
前記目的を達成するために本発明の磁気ディスク装置は、磁気ディスクと、該磁気ディスクに対して情報の記録・再生を行う磁気ヘッドと、該磁気ヘッド及び前記磁気ディスクを収容する筐体とを有し、前記筐体は吸気孔と排気孔を有し、前記筐体内部には前記吸気孔の吸気路を形成する吸着剤と、前記筐体の内部と外部で気圧差がない場合は前記吸気路を閉塞し、前記筐体の内部よりも外部の気圧が高い場合は前記吸気路を開放する吸気弁とを有する吸気ユニットと、前記排気孔の排気路を形成するフィルタと、前記筐体の内部と外部で気圧差がない場合は前記排気路を閉塞し、前記筐体の外部よりも内部の気圧が高い場合は前記排気路を開放する排気弁とを有する排気ユニットとを具備することを特徴とする。
【００１０】
前記目的を達成するために本発明の磁気ディスク装置は、磁気ディスクと、該磁気ディスクに対して情報の記録・再生を行う磁気ヘッドと、該磁気ヘッド及び前記磁気ディスクを収容する筐体とを有し、前記筐体は吸気孔と排気孔を有し、前記筐体内部には前記吸気孔の吸気路を形成する吸着剤と、前記筐体の内部と外部で温度差がない場合は前記吸気路を閉塞し、前記筐体の内部よりも外部の温度が高い場合は前記吸気路を開放する吸気弁とを有する吸気ユニットと、前記排気孔の排気路を形成するフィルタと、前記筐体の内部と外部で温度差がない場合は前記排気路を閉塞し、前記筐体の外部よりも内部の温度が高い場合は前記排気路を開放する排気弁とを有する排気ユニットとを具備することを特徴とする。
【００１１】
【発明の実施の形態】
以下、本発明の実施例を図面を参照しながら詳細に説明する。図１は、本発明の一実施例である磁気ディスク装置の構成を示す断面図である。図１において、磁気ディスク装置は、情報を保持する磁気ディスク３と、磁気ディスク３の回転機構３０と、磁気ディスク３に対して情報を記録・再生する磁気ヘッド２と、磁気ヘッド２の位置決め機構２０と、これらを収容する磁気ディスク装置筐体１（以下筐体１と称す）とで構成される。筐体１には内部と外部を通気するために排気孔４と吸気孔５が設けられ、筐体１の内部には排気孔４と吸気孔５の通気路である通気孔ユニット６が設けられる。
【００１２】
本実施例では、筐体１の内部と外部の通気のための通気孔は、内部空気を外部に排気するための排気孔４と、外部空気を内部に取り込むための吸気孔５に分けられる。これにより、外部環境、特に気圧、温度に変化があり、筐体１の内部と外部に圧力差が生じた場合のみ排気孔４と吸気孔５によって通気が可能となり、筐体１の内部と外部の圧力差をなくし、筐体１の変形を防ぐことができる。
【００１３】
筐体１の内部と外部環境とに気圧差が生じない場合は、筐体１の内部の通気孔ユニット６に設けられた開閉弁を閉じることにより、筐体１の内部は、密閉状態となり、外部の湿気を取り込まない状態を維持することができる。また、気圧力差によって筐体１の内部へ取り込まれた湿気は、筐体１の内部に吸湿剤等の湿気吸着剤を備え付けることで、内部湿度を低下させることができる。
【００１４】
図２に通気孔ユニット６の詳細な構造を示す。吸気側（吸気ユニット６ａ）は、筐体１の内部に外部空気を取り込む吸気孔５の吸気路中に設けた吸湿及びコンタミ侵入防止を目的とした吸着剤７と、支持部１１を支点に開閉動作可能な吸気弁９と、吸気弁９に取付けられたパッキン１０とで構成される。一方、排気側（排気ユニット６ｂ）は、筐体１の内部空気を外部へ排気する排気孔４の排気路中に設けた外部コンタミの侵入を防ぐためのフィルタ８と、支持部１４を支点に開閉動作が可能な排気弁１２と、排気弁１２に取付けられたパッキン１３とで構成される。
【００１５】
図２の状態は、筐体１の内部と外部環境に気圧差、温度差が生じていない状態である。この時、筐体１の内部と外部の間は、通気の必要がないため、吸気弁９と排気弁１２はそれぞれパッキン１０、１３により吸気路および排気路を塞いだ状態となる。このため、筐体１の内部は密封され、外部湿気、コンタミ等の侵入を遮断することができる。この効果は、外部が高湿度の環境下で長期間保管される場合でも、筐体１の内部に収容された磁気ディスク３や磁気ヘッド２の腐食発生防止に大きな効果がある。
【００１６】
図３の状態は、筐体１の内部より外部環境の気圧が高いか、もしくは温度が高い時の状態である。外気圧が高いために、吸気弁９およびパッキン１０が支持部１１を支点にして筐体１の内部側に押し開かれる。外部空気は、吸気孔５を通り、吸気ユニット６ａの吸気路を通り、吸気路内に設けられた湿気及びコンタミ等を吸着する吸着剤７を通って筐体１の内部に取込まれる。外部空気の湿気は、吸着剤７により取り除かれ、筐体１の内部へは湿気の少ない乾燥した空気が取り込まれる。
【００１７】
また、図４の状態は、筐体１の内部より外部環境の気圧が低いか、もしくは温度が低い時の状態である。筐体１の内部は、内部の膨張した空気を外部環境へ排出するため、排気弁１２及びパッキン１３は、内部の気圧によって支持部１４を支点にして押し開かれて、空気は、排気路を通り、排気孔４から排気される。このとき、フィルタ８は外部から筐体１の内部に塵埃が侵入するのを阻止する。
【００１８】
吸気弁９、排気弁１２は、開閉動作が必要ない時は、バネ等の弾性部材で押さえて吸気路および排気路を閉塞するか、または、弁自体を弾性部材として、密封状態を維持できる構造とする。磁気ディスク装置の動作状態においては、筐体１の内部温度は動作時の発熱等により外部環境より高くなるのが通常であるため、図４の状態が起こる。動作中の磁気ディスク装置が停止した時は、発熱がなくなり、図３の状態が起こる。図３の場合、磁気ディスク装置の動作停止の度に外部の空気を磁気ディスク装置内部へ取り込むことになるが、外部空気は吸着剤７を通過するため湿気は除去される。また、磁気ディスク装置停止中は、筐体１の内部は密封状態を維持するため、外部との通気を行わない。
【００１９】
図５に本発明の他の実施例を示す。吸気孔５と、排気孔４は、隣接して設ける必要はなく筐体１の任意の位置に独立して設けることができる。通気孔ユニット６も吸気ユニット６ａと排気ユニット６ｂを切り離して、それぞれ吸気孔５と排気孔４に対応する位置に設ける。この場合でも前記実施例と同様の効果が得られる。
【００２０】
図６に本発明の上述のような実施例による磁気ディスク装置と、従来の通気孔を１個有する磁気ディスク装置（従来１）と、特許文献１に記載された磁気ディスク装置（従来２）について、温度６０℃、湿度９０％の高温高湿環境下に長期間停止状態で放置した場合の、筐体内部の湿度変化を測定した結果を示す。従来の磁気ディスク装置（従来１）では、４００時間経過時点で、外部環境とほぼ同じ湿度９０％に達した。また、特許文献１記載の磁気ディスク装置（従来２）では、前記従来例（従来１）よりかなり改善が見られるが、本発明の磁気ディスク装置では、８００時間を経過しても、筐体内部湿度は４０％以下であり、高湿環境においても、磁気ヘッド、磁気ディスクの腐食原因となる湿気の侵入を抑えることができており、耐環境性に優れた磁気ディスク装置であることを確認した。
【００２１】
【発明の効果】
本発明によれば、外部環境の変化、特に高湿度環境において湿気の侵入を最小限に抑え、高い信頼性を維持することができる磁気ディスク装置を提供することができる。
【図面の簡単な説明】
【図１】本発明の一実施例による磁気ディスク装置の構成を示す断面図である。
【図２】本発明の一実施例による磁気ディスク装置の通気孔ユニットの構成を示す断面図である。
【図３】本発明の一実施例による磁気ディスク装置の通気孔ユニットの吸気時の動作を示す断面図である。
【図４】本発明の一実施例による磁気ディスク装置の通気孔ユニットの排気時の動作を示す断面図である。
【図５】本発明の他の実施例を示す断面図である。
【図６】本発明による磁気ディスク装置の効果と従来の磁気ディスク装置の効果を示すグラフである。
【符号の説明】
１…磁気ディスク装置筐体、２…磁気ヘッド、３…磁気ディスク、
４…排気孔、５…吸気孔、６…通気ユニット、６ａ…吸気ユニット、
６ｂ…排気ユニット、７…吸着剤、８…フィルタ、９…吸気弁、
１０、１３…パッキン、１１、１４…支持部、１２…排気弁。
【図１】
2004318932.tif 000003
【図２】
2004318932.tif 000004
【図３】
2004318932.tif 000005
【図４】
2004318932.tif 000006
【図５】
2004318932.tif 000007
【図６】
2004318932.tif 000008